(57)【特許請求の範囲】
【請求項１】
原稿積載部と、
前記原稿積載部に積載された原稿を１枚ずつ取り込む原稿取り込み部と、
前記原稿取り込み部によって取り込まれた原稿を装置内部に搬送する搬送部と、
前記原稿取り込み部と前記搬送部との間で、原稿が２枚以上の重送状態かどうかを検知する重送検知センサと、
前記原稿取り込み部によって取り込まれる原稿の厚みを判別するための原稿判別手段と、
前記重送検知センサを制御するための制御手段とを備え、
前記原稿判別手段として、前記原稿積載部に積載された原稿を１枚ずつ取り込む、上下動可能なピックアップローラと、前記ピックアップローラの持ち上がりを検知する持ち上がり検知センサとを有し、
前記制御手段は、前記持ち上がり検知センサの検知結果に基づいて、前記重送検知センサによる重送判定を行うか否かの重送判定設定を決定し、前記搬送部による原稿の搬送が完了すると、前記重送判定設定を解除することを特徴とする原稿搬送装置。
【請求項２】
前記原稿判別手段は、前記原稿取り込み部によってカードが取り込まれる時に、厚い原稿が取り込まれたと判別することを特徴とする請求項１に記載の原稿搬送装置。
【請求項３】
原稿積載部と、
前記原稿積載部に積載された原稿を１枚ずつ取り込む原稿取り込み部と、
前記原稿取り込み部によって取り込まれた原稿を装置内部に搬送する搬送部と、
前記原稿取り込み部と前記搬送部との間で、原稿が２枚以上の重送状態かどうかを検知する重送検知センサと、
前記重送検知センサを制御するための制御手段と、
使用者が操作可能であり、重送検知の有効と無効を設定可能なスイッチ部を含む操作部を備え、
原稿搬送時に、前記スイッチ部が、重送検知を無効とする状態であるときに、前記制御手段は、前記重送検知センサによる重送判定を行わないように重送判定設定を決定し、前記搬送部による１枚の原稿の搬送が完了すると、前記重送判定設定を解除することを特徴とする原稿搬送装置。
【請求項４】
前記制御手段は、前記原稿判別手段が、取り込まれる原稿が厚い原稿であると判別した場合、前記重送検知センサの検知結果を無効とすることを特徴とする請求項１または２に記載の原稿搬送装置。
【請求項５】
前記制御手段は、前記原稿判別手段が、取り込まれる原稿が厚い原稿であると判別した場合、前記重送検知センサによる重送検知を無効とすることを特徴とする請求項１または２に記載の原稿搬送装置。
【請求項６】
前記制御手段が、前記原稿判別手段により、搬送原稿が厚い原稿であると判断した時、前記搬送部の搬送力を強くすることを特徴とする請求項１、２、４および５のいずれか１項に記載の原稿搬送装置。
【請求項７】
請求項１乃至６のいずれか１項に記載の原稿搬送装置によって搬送される原稿の画像を読み取ることを特徴とする画像読取装置。
【発明の詳細な説明】
【技術分野】
【０００１】
本発明は、原稿を搬送して画像を読み取るための原稿搬送装置に関し、特に、複写機、スキャナなどの画像読取装置に関する。
【背景技術】
【０００２】
複写機、スキャナ等、従来の画像読取装置において、原稿が2枚以上重なって搬送されてしまう重送が発生した際に、超音波センサを用いて重送を検知するための重送検知センサを備えているものが知られている。近年、スキャナではＯＡ紙のような普通紙や厚紙、さらにはトレーシングペーパーのような薄紙など、幅広い種類の原稿を搬送し、画像の読み取りを行うことが求められている。この際、読み取り対象の原稿がカードなどの特に厚い原稿の場合、1枚であっても、超音波センサは重送と誤検知してしまい、頻繁に搬送動作を中断されてしまう。このため、あらかじめ搬送原稿がカードなどの厚い原稿であることを知る手段が求められている。（特許文献１参照）
【先行技術文献】
【特許文献】
【０００３】
【特許文献１】特開２０１２−００１２９２号公報
【発明の概要】
【発明が解決しようとする課題】
【０００４】
特許文献１の発明では、搬送対象がカードであることを前提として、使用者の操作により搬送処理を行う。そのため、搬送した原稿は全てカードであると判断する。このようなモードを用いれば、重送検知センサを備えた装置において、カードを搬送した場合にも重送誤検知が発生せず、搬送動作が中断されることはない。しかし、例えばカード搬送の設定を行った状態で、名刺など、カード以外の原稿を混載して搬送する様な時に、名刺が重送して搬送されてしまった場合には、重送を検知することができず、読取情報の欠落という問題が発生する。
【０００５】
本発明は、カードなどの厚い原稿を含む様々な種類の原稿を混載して搬送した際に、カードなどの厚い原稿とそれ以外の原稿を判別し、搬送する原稿に応じて重送判定の有効/無効を自動的に決定する構成を持った原稿搬送装置及び原稿搬送装置を備えた画像読取装置を提供するものである。
【課題を解決するための手段】
【０００６】
本発明の原稿搬送装置は、原稿積載部と、前記原稿積載部に積載された原稿を１枚ずつ取り込む原稿取り込み部と、前記原稿取り込み部によって取り込まれた原稿を装置内部に搬送する搬送部と、前記原稿取り込み部と前記搬送部との間で、原稿が２枚以上の重送状態かどうかを検知する重送検知センサと、前記原稿取り込み部によって取り込まれる原稿の厚みを判別するための原稿判別手段と、前記重送検知センサを制御するための制御手段とを備え、前記原稿判別手段として、前記原稿積載部に積載された原稿を１枚ずつ取り込む、上下動可能なピックアップローラと、前記ピックアップローラの持ち上がりを検知する持ち上がり検知センサとを有し、前記制御手段は、前記持ち上がり検知センサの検知結果に基づいて、前記重送検知センサによる重送判定を行うか否かの重送判定設定を決定し、前記搬送部による原稿の搬送が完了すると、前記重送判定設定を解除することを特徴とする。
【発明の効果】
【０００７】
以上説明したように本発明によれば、搬送原稿がカードなどの厚い原稿かどうかを判断することができ、判断した結果に応じて重送検知センサの検知結果を有効/無効に設定することができるため、搬送される原稿ごとに最適な重送判定を行うことができる。
【図面の簡単な説明】
【０００８】
【図１】本発明における画像読取装置の断面図
【図２】本発明における画像読取装置のブロック図
【図３】本発明の第1の実施形態における原稿判別手段の構成を示す図
【図４】本発明の第1の実施形態における普通紙搬送時のピックアップユニットの状態を示す図
【図５】本発明の第1の実施形態におけるカード搬送時のピックアップユニットの状態を示す図
【図６】本発明の第１の実施形態におけるシート搬送動作を説明するフローチャート
【図７】本発明の第２の実施形態におけるシート搬送動作を説明するフローチャート
【発明を実施するための形態】
【０００９】
以下、本発明を実施するための最良の形態を、図面を用いて詳細に説明する。但し、この実施の形態に記載されている構成部品の寸法、材質、形状、その相対配置等は、特に特定的な記載が無い限りは、この発明の範囲をそれらのみに限定する趣旨のものではない。
【００１０】
本発明を実施するための形態の一例として、画像読取装置を例に挙げて説明を行う。
【００１１】
（第１実施形態）
図１は本発明の第１の実施形態に掛かる画像読取装置１０１の側面断面図、図２は画像読取装置１０１のブロック図である。
【００１２】
図１において、３ａは分離ローラ、３ｂは給紙ローラ、４ａ、４ｂ、４ｃ、４ｄは搬送ローラ対、５ａ、５ｂは排紙ローラ対である。分離ローラ、給紙ローラは、複数枚の原稿を一枚ずつ分離するためのローラである。搬送ローラ４ａ、４ｃは、駆動モータ４０と不図示のギアを介して接続され、前記駆動モータ４０を制御手段１によって駆動することで前記搬送ローラを回転するようになっている。搬送ローラ４ｂ、４ｄは、原稿を各搬送ローラ４ａ、４ｃとでニップする位置に設けられ、各搬送ローラ４ａ、４ｃの回転に従動して回転するようになっている。前記駆動モータを制御手段１によって駆動し、前記各搬送ローラ４ａ、４ｃを回転させて、原稿を下流側に搬送するようになっている。
【００１３】
原稿排紙口２０、２１は、搬送する原稿に応じて選択可能になっている。排紙トレー３０は開閉状態を不図示のセンサにより検知できるようになっており、前記不図示センサの検知結果から、制御手段１によって原稿排紙口を選択するようになっている。具体的には、排紙口２０を使用する時には排紙トレー３０を開き、排紙口２１を使用する時には排紙トレー３０を閉じるようになっている。
【００１４】
排紙ローラ５ａは、前記不図示の駆動モータとギアを介して接続され、前記各搬送ローラ４ａ、４ｃが回転する時に前記搬送ローラ４ａ、４ｃと同じ方向に回転するようになっている。排紙ローラ５ｂは、原稿を排紙ローラ５ａとでニップする位置に設けられ、排紙ローラ５ａの回転に従動して回転するようになっている。
【００１５】
ピックアップローラ６は、駆動モータ４０と不図示のギアを介して接続され、前記駆動モータを制御手段１によって駆動することで回転するようになっており、原稿積載台８に積載された原稿を順次給紙ローラ、分離ローラに送るようになっている。
【００１６】
さらに、本発明では、例えば、シート状の部材を打ち抜くなどして、開口被覆部、被係合部、及び連結部のそれぞれを一体的に設けるようにしてもよい。これにより、羽根の各部位（開口被覆部、被係合部、連結部）が一つの部材で構成されるため、各部位の繋目がなく、羽根の耐久性を更に向上することができる。
【００１７】
本装置は、原稿積載台８に積載された原稿束を1枚ずつ装置内に搬送し、画像を読み取る装置であるため、原稿を確実に1枚ずつ分離して装置内に搬送する必要がある。そのため、本装置は図１に示すように、原稿積載台８から給紙ローラ３a、分離ローラ３ｂの間は斜面になっており、この斜面部分によって原稿積載台８に積載された原稿束を1枚ずつ分離して搬送するようになっている。
【００１８】
原稿検知センサRは、赤外LEDなどの発光素子とフォトトランジスタなどの受光素子を用いて構成されており、制御手段１によって前記発光素子からの光信号を、前記受光素子にて受光し、受光した光信号の受信出力レベルによって原稿が搬送されたかどうかを検知するようになっている。
【００１９】
以下、図面を参照して本発明の実施の形態について具体的に説明する。
【００２０】
重送検知センサSは、超音波センサを用いて構成されており、制御手段１によって超音波発信部より発した超音波を、超音波受信部にて受信し、受信した信号の出力レベルによって、搬送された原稿が2枚以上重なっている重送状態かどうかを検知するようになっている。
【００２１】
図３は、ピックアップローラ６の位置を検知するための一例を示す図である。ピックアップユニット１０と連動して動作を行う前記分離ローラ３ｂの軸部分１２にエンコーダ用円板５１とエンコーダ５０によって構成される回転量検知センサを設ける。
【００２２】
ピックアップローラ６が原稿を搬送する際に、先述した斜面分離によって1枚ずつ原稿を捌いて搬送する。この時、図４に示すようにOA紙などの普通紙の場合、原稿は搬送路に沿う形になりピックアップローラ６の位置は原稿積載台８に近い低い位置になる。しかし、図５に示すように、カードのような厚い原稿の場合、原稿が給紙ローラ３ａ、分離ローラ３ｂにニップされた時に、カードのコシの強さによって原稿積載台８から離れる方向に持ち上がり、ピックアップユニット１０を持ち上げる状態となる。このように原稿のコシの強さに伴って前記ピックアップユニット１０の位置が変動し、その変動によって回転する前記分離ローラ３ｂの軸部分１２の回転動作量から、制御手段１によって前記ピックアップローラ６の持ち上がり量を算出するようになっている。給送開始時点でのピックアップローラ６の位置が、取り込み中のカードによって持ち上がると、これを検知してもよい。すなわち、ピックアップローラ６の持ち上がり量ではなく、ピックアップローラ６が持ち上がったか否かだけを検出するようにしてもよい。
【００２３】
制御手段１は、前記各ローラ対を駆動して、原稿積載台８に積載された原稿を給紙し、原稿の画像を読み取るための画像読取手段２に原稿を搬送する。画像読取手段２で画像を読み取り終えた原稿は、排紙トレー３０によって選択された排紙口２０または２１を通り、画像読取装置１０１から排紙される。
【００２４】
さらに制御手段１は、前記算出したピックアップローラ６の持ち上がり量の算出結果から搬送原稿がカードなどの厚い原稿かどうかを判別するようになっている。
【００２５】
例えば、回転量検知センサから得られた回転量情報により算出されたピックアップローラ６の持ち上がり量から、搬送原稿がカードなどの厚い原稿であると判定した場合、制御手段１は重送誤判定を防ぐために、重送判定結果を無効として搬送動作を行う。これにより、画像読取装置１０１は、カードなどの厚い原稿を重送と誤判定して搬送停止することなく搬送動作を継続することができる。なお、ここでは、重送判定結果を無効とする場合を例示して説明したが、本発明は、重送検知センサによる重送判定を行うか否かを決定するようにしてもよい。例えば、重送検知センサによる重送検知を無効化（ＯＦＦ）してもよい（具体的には、超音波による重送検知であれば、超音波の発信を行わないように制御する）。
【００２６】
以下に、本実施形態における画像読取装置の動作について、図６のフローチャートに基づき説明する。
【００２７】
画像読取装置１０１は、接続したPCなどの外部情報端末Xから読取指示命令を待ち(Ｓ１０２)、読取指示命令が受信されない場合(Ｓ１０３のNo)、制御手段１は外部情報端末Xからの読取指示命令待ちを継続する。
【００２８】
外部情報端末Ｘから読取指示命令を受信した場合(Ｓ１０３のYes)、制御手段１は搬送動作を開始する(Ｓ１０４)。搬送を開始し、原稿検知センサRが原稿を検知した時、制御手段１は回転量検知センサであるエンコーダから取得した回転量情報から、ピックアップローラ６の持ち上がり量を検出する(Ｓ１０５)。
【００２９】
検出した持ち上がり量を、制御手段１によってあらかじめ設定していた閾値と比較し(Ｓ１０６)、閾値以上であった場合(Ｓ１０６のYes)、搬送原稿がカードなどの厚い原稿であると判断し、重送検知センサの検知結果を無効とする(Ｓ１０７)。持ち上がり量が閾値未満であった場合(Ｓ１０６のNo)、搬送原稿がカードなどの厚い原稿以外の原稿であると判断し、重送検知センサの検知結果を有効とする(Ｓ１０８)。
【００３０】
重送検知センサの判定を無効にした後(Ｓ１０７)、搬送動作が終了するまで設定を継続し(Ｓ１０９)、搬送動作が終了したとき、重送検知センサの設定を解除(Ｓ１１２)し、動作を終了する(Ｓ１１３)。
【００３１】
重送検知センサの判定を有効にした場合(Ｓ１０８)、重送を確認しながら原稿を搬送し、原稿が重送していた場合(Ｓ１１０のYes)、制御手段１によって搬送を停止し、使用者に重送状態を報知して(Ｓ１１１)、動作を終了する(Ｓ１１３)。原稿が重送していなかった場合(Ｓ１１０のNo)、搬送動作が終了するまで設定を継続し(Ｓ１０９)、搬送動作が終了したとき、重送検知センサの設定を解除(Ｓ１１２)し、動作を終了する(Ｓ１１３)。
【００３２】
これにより、本発明における画像読取装置１０１では、搬送原稿がカードなどの厚い原稿かどうかをピックアップローラの持ち上がり量で判断することができ、判断した結果に応じて重送検知センサの検知結果を有効/無効に設定することができるため、搬送される原稿ごとに最適な重送判定を行うことができ、重送誤検知による搬送中断が発生することなく搬送がおこなえるため、使用者が快適に装置を使用することができる。
【００３３】
（第２実施形態）
本発明における第２の実施形態は、第１の画像読取装置における原稿判別手段を、装置に備えてある操作部のスイッチ押下状態によって判断するようにしたものである。
【００３４】
本発明における画像読取装置は、前記第１の実施形態で説明した構成にスイッチを備えた操作部を追加した構成としたものである。
【００３５】
本発明第２の実施形態における技術は、カードのような厚い原稿を含む原稿を搬送することを前提としている場合に、使用者が搬送原稿の識別を行い、識別の結果、カードのような厚い原稿を搬送する際に、重送判定を無効とするためスイッチを押下するというものである。
【００３６】
以下に、本実施形態における画像読取装置の動作について、図７のフローチャートに基づき説明する。
【００３７】
外部情報端末Ｘから読取指示命令を受信した場合(Ｓ２０３のYes)、制御手段１は搬送動作を開始する(Ｓ２０４)。搬送を開始し、原稿検知センサRが原稿を検知した時、制御手段１は不図示の操作部に備えられたスイッチが使用者により押下されたかどうかの押下状態を検出する(Ｓ２０５)。
【００３８】
検出したスイッチの押下状態を、制御手段１によってあらかじめ設定していた押下条件と比較し(Ｓ２０６)、押下状態であった場合(Ｓ２０６のYes)、搬送原稿がカードなどの厚い原稿であると判断し、重送検知センサの検知結果を無効とする(Ｓ２０７)。スイッチが押下状態で無かった場合(Ｓ２０６のNo)、搬送原稿がカードなどの厚い原稿以外の原稿であると判断し、重送検知センサの検知結果を有効とする(Ｓ２０８)。
【００３９】
重送検知センサの判定を無効にした後(Ｓ２０７)、原稿1枚の搬送動作が終了するまで設定を継続し(Ｓ２０９)、搬送動作が終了したとき、重送検知センサの設定を解除(Ｓ２１２)する。その後、継続して次の原稿が搬送されているかを確認し、次の原稿が搬送されている場合(Ｓ２１３のNo)、再びスイッチの押下状態を検出する(Ｓ２０５)。原稿検知センサが原稿を検知しなくなり、全ての原稿の搬送が終了したら(Ｓ２１３のYes)、装置の動作を終了する(Ｓ２１４)。
【００４０】
重送検知センサの判定を有効にした場合(Ｓ２０８)、重送を確認しながら原稿を搬送し、原稿が重送していた場合(Ｓ２１０のYes)、制御手段１によって搬送を停止し、使用者に重送状態を報知して(Ｓ２１１)、動作を終了する(Ｓ２１４)。原稿が重送していなかった場合(Ｓ２１０のNo)、原稿１枚の搬送動作が終了するまで設定を継続し(Ｓ２０９)、搬送動作が終了したとき、重送検知センサの設定を解除(Ｓ２１２)する。その後は、前述したフローと同様の動作を行う。
【００４１】
これにより、本発明における画像読取装置１０１では、使用者が装置に搬送する原稿の種類を判別し、搬送原稿がカードなどの厚い原稿であった場合に、装置に備えてある操作スイッチを押すことによって、重送検知センサの検知結果を有効/無効に設定することができる。そのため、搬送される原稿ごとに最適な重送判定を行うことができ、重送誤検知による搬送中断が発生することなく搬送がおこなえ、使用者が快適に装置を使用することができる。
【００４２】
また、これにより、本発明における画像読取装置１０１では、操作スイッチの押下状態により、重送検知センサの検知結果の有効/無効設定を即座に装置に反映できるため、使用者がスイッチを押すことによってリアルタイムに重送検知結果の有効/無効を切替え、快適に装置を使用することができる。
【００４３】
（第３実施形態）
本発明における第３の実施形態は、第１の画像読取装置における原稿搬送手段の搬送力を、カードなどの厚い原稿が搬送された時に強くすることができるようにしたものである。
【００４４】
本発明第３の実施形態の構成は第１の実施形態と同様の構成となっている。本実施形態における原稿判別手段はピックアップローラ６を用いた構成のものにて説明する。
【００４５】
本実施形態における画像読取装置の動作については、基本的に図６のフローチャートと同様である。図６のフローチャート、ステップＳ１０６の時に、原稿判別手段が搬送原稿をカードなどの厚い原稿と判別した場合(Ｓ１０６のYes)、制御手段１は、重送判定を無効にするとともに、不図示の駆動モータの駆動トルクを強くするように設定を変更する。原稿判別手段が搬送原稿をカードなどの厚い原稿と判別しなかった場合(Ｓ１０６のNo)、制御手段は重送判定を有効にし、駆動モータの駆動トルクについては変更を行わない。
【００４６】
これにより、本実施形態における画像読取装置では、搬送時の負荷が大きいカードなどの厚い原稿を搬送する際に搬送力を強くすることができるため、搬送の遅れ、搬送力不足による脱調などを発生させず、正常に画像情報を取得することができる。
【００４７】
また、本実施形態における原稿判別手段は、第２の実施形態で説明したスイッチの押下状態により判別する方法を用いた構成のものでも良い。
【００４８】
なお、本発明は、原稿の取り込み段階、あるいはそれ以前から、カードのような厚手原稿を取り扱う場合、重送検知センサによる重送判定を行わないようにした点に特徴があり、例えば、原稿搬送装置に接続されたコンピュータから原稿搬送の制御を行うためのプログラム（アプリケーションまたはドライバ）の実行により、コンピュータのディスプレイに原稿搬送の制御のための設定画面を表示し、その設定画面において、原稿搬送装置における重送判定のＯＮ／ＯＦＦを設定し、仮に重送判定のＯＮ設定であっても、実際に搬送する原稿がカードのような厚手原稿であれば、重送と誤検知してしまうおそれがある。このため、本発明は、重送判定のＯＮ／ＯＦＦ設定にかかわらず、原稿搬送装置において原稿判別を行って重送判定を行わないようにする点に特徴がある。これにより、重送でない原稿について重送と誤判定してしまうことを防ぐことが可能となる。
【符号の説明】
【００４９】
１０１  画像読取装置
１      制御手段
２      画像読取手段
６      給紙ローラ
８      原稿積載台
１０    ピックアップユニット
１２    給紙ローラ軸
２０    排紙口
２１    排紙口
３０    排紙トレー
４０    搬送手段
５０    エンコーダ
５１    エンコーダディスク
３ａ    分離ローラ
３ｂ    給紙ローラ
４ａ    搬送ローラ
４ｂ    搬送ローラ
４ｃ    搬送ローラ
４ｄ    搬送ローラ
５ａ    排紙ローラ
５ｂ    排紙ローラ
Ｒ      原稿検知センサ
Ｓ      重送検知センサ
X       外部情報端末
【図１】
0006630502.tif 000002
【図２】
0006630502.tif 000003
【図３】
0006630502.tif 000004
【図４】
0006630502.tif 000005
【図５】
0006630502.tif 000006
【図６】
0006630502.tif 000007
【図７】
0006630502.tif 000008